(57)【要約】【課題】折畳み式携帯端末において、外観を損なうことなく、載置面に載置したときに、第１の筐体に傷が付くのを防止する。【解決手段】第１の筐体２に載置面２０に接触させる載置用脚部２１を設ける。そして、第１の筐体２と第２の筐体３とを開くことにより、載置用脚部２１の一端２１ａを押し下げ、他端２１ｂを第１の筐体２の表面よりも外側に突出させて載置面２０に接触させる。第１の筐体２と第２の筐体３とを閉じることにより、載置用脚部２１が第１の筐体２に設けた圧縮コイルバネ２５（弾性部材）に付勢されて元の位置に戻る。【選択図】図９
2009017166.tif 000002
【特許請求の範囲】
【請求項１】
表示部を有する第１の筐体と、操作部を有する第２の筐体と、該第１の筐体と第２の筐体とを折畳み自在に連結するヒンジ部とを備えた折畳み式携帯端末であって、
上記第１の筐体は、載置面に接触させる載置用脚部を有し、
上記第１の筐体と第２の筐体とを開くことにより、上記載置用脚部の一端が押し下げられ、他端が第１の筐体の表面よりも外側に突出して上記載置面に接触し、
上記第１の筐体と第２の筐体とを閉じることにより、上記載置用脚部が該第１の筐体に設けた弾性部材に付勢されて元の位置に戻るように構成されている
ことを特徴とする折畳み式携帯端末。
【請求項２】
請求項１に記載の折畳み式携帯端末において、
上記第１の筐体の左右下端には、上記ヒンジ部を構成し、上記表示部よりも表面側へ膨出する一対の第１ヒンジ軸受部が形成され、
上記第２の筐体の左右上端には、上記ヒンジ部を構成し、上記第１ヒンジ軸受部の間へ水平に膨出する一対の第２ヒンジ軸受部が形成され、
連接する左右の上記第１ヒンジ軸受部及び第２ヒンジ軸受部内にそれぞれ開閉軸が配設されている
ことを特徴とする折畳み式携帯端末。
【請求項３】
請求項２に記載の折畳み式携帯端末において、
上記第１の筐体と第２の筐体とを開いた状態で載置すると、上記載置用脚部の他端及び上記第２の筐体の稜のみが載置面に接触する
ことを特徴とする折畳み式携帯端末。
【請求項４】
請求項１乃至３のいずれか１つに記載の折畳み式携帯端末において、
上記第１の筐体と第２の筐体とを閉じた状態において、上記載置用脚部の他端は第１の筐体の表面と同一平面をなしている
ことを特徴とする折畳み式携帯端末。
【請求項５】
請求項１乃至４のいずれか１つに記載の折畳み式携帯端末において、
上記載置用脚部の一端に対する押下動作は、上記第１の筐体と第２の筐体とを開く動作に伴って該載置用脚部の一端が上記第２の筐体に設けた押下部材と接触することにより行われる
ことを特徴とする折畳み式携帯端末。
【請求項６】
請求項５に記載の折畳み式携帯端末において、
上記押下部材は、上記第１の筐体と第２の筐体とが所定の角度よりも開かないように規制するストッパーである
ことを特徴とする折畳み式携帯端末。
【請求項７】
請求項１乃至６のいずれか１つに記載の折畳み式携帯端末において、
上記載置用脚部は、上記第１の筐体における上記ヒンジ部の近傍に設けられている
ことを特徴とする折畳み式携帯端末。
【請求項８】
請求項７に記載の折畳み式携帯端末において、
上記載置用脚部は、上記第１の筐体に設けた貫通孔に挿入され、該貫通孔内をスライドするように構成されている
ことを特徴とする折畳み式携帯端末。
【請求項９】
請求項８に記載の折畳み式携帯端末において、
上記弾性部材は、上記貫通孔内に設けた圧縮コイルバネであり、
上記圧縮コイルバネは、上記載置用脚部に設けた押圧部によって、該載置用脚部のスライド移動に伴って押圧されるように構成されている
ことを特徴とする折畳み式携帯端末。
【請求項１０】
請求項９に記載の折畳み式携帯端末において、
圧縮コイルバネは、ステンレス鋼線で構成されている
ことを特徴とする折畳み式携帯端末。
【請求項１１】
請求項１乃至１０のいずれか１つに記載の折畳み式携帯端末において、
上記載置用脚部は、樹脂成形品よりなる
ことを特徴とする折畳み式携帯端末。
【請求項１２】
請求項１乃至１１のいずれか１つに記載の折畳み式携帯端末において、
上記載置用脚部の色調は、第１の筐体の色調と同一である
ことを特徴とする折畳み式携帯端末。
【請求項１３】
折畳み式携帯電話機である
ことを特徴とする請求項１乃至１２のいずれか１つに記載の折畳み式携帯端末。
【発明の詳細な説明】
【技術分野】
【０００１】
折畳み式携帯電話等の折畳み式携帯端末に関し、特に、机上や卓上などの載置面上に置いたときの傷防止の技術に関する。
【背景技術】
【０００２】
従来より、携帯電話機でＴＶ視聴するときなどには、継続的に手に持つことは困難であり、机上等の載置面上に一時的に載置することがある。そのため、携帯電話機の裏面には、傷防止のため複数の突起が設けられている。
【０００３】
しかし、外観に現れる部分に突起を設けることを嫌い、外観の仕上げにシボ加工を施したり、傷の発生し難い材料を選択したりすることが行われている。
【０００４】
例えば、特許文献１の携帯電話装置は、携帯電話機本体に設けられた操作ボタンを保護するために本体に開閉自在に設けられるとともに、送話用マイクロホンが内蔵されたフリップと、各種情報を表示するための表示装置とを備え、携帯電話装置の重心と表示装置との間に位置するフリップの表面に、マイクロホンを内蔵するための突出部を設け、携帯電話装置を下向けにしておいた場合の表示装置の傷付きを防止している。
【特許文献１】特開平８−２７４８５１号公報
【発明の開示】
【発明が解決しようとする課題】
【０００５】
しかしながら、上記特許文献１では外観に現れる部分に突出部を設けていることから、デザイン的に好ましくなく、また、突出部のために製品の外形が大きくなってしまうという問題がある。
【０００６】
本発明は、かかる点に鑑みてなされたものであり、その目的とするところは、外観を損なうことなく、載置面に載置したときに、第１の筐体に傷が付くのを防止することにある。
【課題を解決するための手段】
【０００７】
上記目的を達成するために、本発明では、第１の筐体と第２の筐体とを開いたときに突出し、閉じたときには収まる載置用脚部を設けた。
【０００８】
具体的には、第１の発明では、表示部を有する第１の筐体と、操作部を有する第２の筐体と、該第１の筐体と第２の筐体とを折畳み自在に連結するヒンジ部とを備えた折畳み式携帯端末を対象とする。
【０００９】
そして、上記第１の筐体は、載置面に接触させる載置用脚部を有し、
上記第１の筐体と第２の筐体とを開くことにより、上記載置用脚部の一端が押し下げられ、他端が第１の筐体の表面よりも外側に突出して上記載置面に接触し、
上記第１の筐体と第２の筐体とを閉じることにより、上記載置用脚部が該第１の筐体に設けた弾性部材に付勢されて元の位置に戻るように構成されている。
【００１０】
上記の構成によると、第１の筐体と第２の筐体とを開くと、載置用脚部の一端が押し下げられて、その他端側が第１の筐体の表面から突出する。このため、折畳み式携帯端末を載置したときに、載置面に載置用脚部の他端が接触するので、第１の筐体の裏面が接触して傷が付くのが防止される。一方、折畳み式携帯端末を閉じると、載置用脚部が弾性部材に押し戻されて、その他端は元の位置に収まるので、第１の筐体の表面と載置用脚部の他端とを面一にすることができる。このため、見映えが悪化せず、外形が大きくなることはない。
【００１１】
第２の発明では、第１の発明において、
上記第１の筐体の左右下端には、上記ヒンジ部を構成し、上記表示部よりも表面側へ膨出する一対の第１ヒンジ軸受部が形成され、
上記第２の筐体の左右上端には、上記ヒンジ部を構成し、上記第１ヒンジ軸受部の間へ水平に膨出する一対の第２ヒンジ軸受部が形成され、
連接する左右の上記第１ヒンジ軸受部及び第２ヒンジ軸受部内にそれぞれ開閉軸が配設されている。
【００１２】
上記の構成によると、第１の筐体と第２の筐体とを開くと、第１の筐体が第２の筐体よりも正面から見て奥側に配置される。このため、第１の筐体と第２の筐体とを開いた状態で載置すると、載置用脚部の他端と第２の筐体の稜のみが載置面に接触するので、第１の筐体が傷つかない。
【００１３】
第３の発明では、第２の発明において、
上記第１の筐体と第２の筐体とを開いた状態で載置すると、上記載置用脚部の他端及び上記第２の筐体の稜のみが載置面に接触する。
【００１４】
上記の構成によると、第１の筐体が載置面に接触しないので、第１の筐体に傷が付くのが防止される。
【００１５】
第４の発明では、第１乃至第３のいずれか１つの発明において、
上記第１の筐体と第２の筐体とを閉じた状態において、上記載置用脚部の他端は第１の筐体の表面と同一平面をなす構成とする。
【００１６】
上記の構成によると、載置用脚部は、第１の筐体の表面の一部に見えるので、見映えがよく、外形が大きくならない。
【００１７】
第５の発明では、第１乃至第４のいずれか１つの発明において、
上記載置用脚部の一端に対する押下動作は、上記第１の筐体と第２の筐体とを開く動作に伴って該載置用脚部の一端が上記第２の筐体に設けた押下部材と接触することにより行われる。
【００１８】
上記の構成によると、載置用脚部の押下動作が、第１の筐体と第２の筐体とを開く動作に伴って行われるので、特に載置用脚部を操作することなく、折畳み式携帯端末を極めて容易に載置することができる。
【００１９】
第６の発明では、第５の発明において、
上記押下部材は、上記第１の筐体と第２の筐体とが所定の角度よりも開かないように規制するストッパーである。
【００２０】
上記の構成によると、ストッパーと載置用脚部の押下部材とを兼用できるので、部品点数が減る。
【００２１】
第７の発明では、第１乃至第６のいずれか１つ発明において、
上記載置用脚部は、上記第１の筐体における上記ヒンジ部の近傍に設けられている。
【００２２】
上記の構成によると、ヒンジ部の近傍に載置用脚部を設けることで、ヒンジ部から離れた部位に設ける場合に比べ、その他端の飛び出し量が小さくてすむ。
【００２３】
第８の発明では、第７の発明において、
上記載置用脚部は、上記第１の筐体に設けた貫通孔に挿入され、該貫通孔内をスライドするように構成されている。
【００２４】
上記の構成によると、載置用脚部の一端を押し下げれば、載置用脚部が貫通孔内をスライド移動して、他端が第１の筐体から飛び出す。
【００２５】
第９の発明では、第８の発明において、
上記弾性部材は、上記貫通孔内に設けた圧縮コイルバネであり、
上記圧縮コイルバネは、上記載置用脚部に設けた押圧部によって、該載置用脚部のスライド移動に伴って押圧されるように構成されている。
【００２６】
上記の構成によると、簡単な構成なため、圧縮コイルバネによって確実に載置用脚部が付勢されると共に、組み立てが容易で、かつ壊れにくい。
【００２７】
第１０の発明では、第９の発明において、
上記圧縮コイルバネは、ステンレス鋼線よりなるものとする。
【００２８】
上記の構成によると、圧縮コイルバネが、耐食性及び強度が高く軽量なものとなる。
【００２９】
第１１の発明では第１乃至第１０の発明において、
上記載置用脚部は、樹脂成形品とする。
【００３０】
上記の構成によると、複雑な形状も成形しやすく、軽量で彩色が容易である。
【００３１】
第１２の発明では第１乃至第１１の発明において、
上記載置用脚部の色調は、第１の筐体の色調と同一である。
【００３２】
上記の構成によると、載置用脚部の色調が第１の筐体の同一の色調であるため、外観の差がなくなり、見映えが良くなる。
【００３３】
第１３の発明では、第１乃至第１２のいずれか１つの発明において、
折畳み式携帯端末は、折畳み式携帯電話機とする。
【００３４】
上記の構成によると、外観上の突起がなくて見映えがよく、傷つきにくい折畳み式携帯電話が得られる。
【発明の効果】
【００３５】
以上説明したように、第１の筐体と第２の筐体とを開いたときに載置用脚部の一端を押し下げて、その他端側を第１の筐体の表面から突出させ、第１の筐体と第２の筐体とを閉じると、載置用脚部が弾性部材に押し戻されて、その他端が元の位置に収まるようにした。このため、開いた状態の折畳み式携帯端末を載置したときに、第１の筐体に傷が付くのを防止することができると共に、閉じた状態で第１の筐体の表面と載置用脚部の他端とを面一にして見映えをよくすることができる。
【発明を実施するための最良の形態】
【００３６】
以下、本発明の実施形態を図面に基づいて説明する。
【００３７】
図１乃至図３は本発明の実施形態の折畳み式携帯端末としての折畳み式携帯電話機１を示し、この携帯電話機１は、第１の筐体２と第２の筐体３とがヒンジ部７により、折畳み開閉自在に連結されている。第１の筐体２と第２の筐体３とは、例えば、樹脂成形品よりなる。
【００３８】
第１の筐体２の左右下端には、表示パネル４よりも表面側へ膨出する一対の第１ヒンジ軸受部２ａが形成されている。
【００３９】
第２の筐体３は、横長に入力キー８ａが配列された操作部８を内蔵している。この操作部８は、パソコンと同じキー配置にすることが可能であるため、横長の画面を見ながらパソコンのように快適な操作が行えるようになっている。また、第２の筐体３の上端には、第１ヒンジ軸受部２ａの間へ水平に膨出する一対の第２ヒンジ軸受部３ａが左右の間隔をあけて一体に成形されている。
【００４０】
図４に示すように、第１ヒンジ軸受部２ａ及び第２ヒンジ軸受部３ａは、ヒンジ部７を構成し、それぞれ内部が空洞に形成されている。例えば、左側の第１ヒンジ軸受部２ａ及び第２ヒンジ軸受部３ａ内には、第１の筐体２と第２の筐体３とを折畳み可能に連結し、所定位置で第１の筐体２の位置を保持したり、第１の筐体２の開閉を補助する弾性部材（図示せず）を備えた左側開閉軸９が内蔵されている。右側の第１ヒンジ軸受部２ａには、第２ヒンジ軸受部３ａ側へ突出する中空の右側開閉軸１０を備え、その内部には、表示装置６と操作部８とを電気的に接続する信号線１１が通っている。
【００４１】
図２に示すように、第１の筐体２の背面における第１ヒンジ軸受部２ａ側には、通話ボタン１２と終話ボタン１３と受話部１４とが配設され、送話部は第１の筐体２の図示されていない下側面に設けられている。電話をするには、前もって入力キー８ａにて相手先の電話を登録しておき、上下キー１７ａ、左右キー１７ｂによって検索し、検索結果をサブ表示部１８に表示しつつ、決定キー１７ｃで決定し、間違った場合にはクリアーキー１７ｄで消去して再び検索するように構成されている。このように構成することで、第１の筐体２、第２の筐体３を閉じた状態で、通話ボタン１２を押すことにより通話が開始され、通話が終われば終話ボタン１３を押して終話するようになっている。つまり、閉じた状態で通話や終話が可能となっている。
【００４２】
図５に示すように、第２の筐体３の背面側には、電池収納部１５ａが形成され、その表面が電池蓋１５ｂで覆われている。
【００４３】
図６に示すように、第１の筐体２は、左右に長い横長の表示パネル４を含む表示部としての表示装置６を内蔵している。矩形板状の表示パネル４の右側にフレキシブル基板が接続され、このフレキシブル基板に上記信号線１１が接続されている。表示パネル４は、安価で寿命が長い液晶ディスプレイよりなる。
【００４４】
そして、本発明の特徴として、図６乃至図９に拡大して示すように、上記第１の筐体２は、机上、卓上などの平坦な載置面２０に接触させる載置用脚部２１を有している。載置用脚部２１は、第１の筐体２におけるヒンジ部７の近傍に設けられている。具体的には、図２にも示すように、第１の筐体２のヒンジ部７の近傍には、表面から裏面側へ貫通する左右一対の貫通孔２３が設けられている。載置用脚部２１は、この貫通孔２３に挿入され、その内部をスライドするように構成されている。載置用脚部２１は、棒状のもので、中間部には、押圧部２６が第１の筐体２の内部の空間に突設されている。この押圧部２６から裏面側に向けて載置用脚部２１と平行に第１バネ保持用ピン２６ａが突出している。同様に、この第１バネ保持用ピン２６ａに対向する位置の第１の筐体２の内面には、載置用脚部２１と平行に第２バネ保持用ピン２７が形成されている。これら第１及び第２バネ保持用ピン２６ａ，２７の間に、第１及び第２バネ保持用ピン２６ａ，２７によって位置決めと外れ防止がなされた状態で弾性部材としての圧縮コイルバネ２５が保持されている。圧縮コイルバネ２５は、載置用脚部２１の押圧部２６によって、載置用脚部２１のスライド移動に伴って押圧されるように構成されている。圧縮コイルバネ２５は、圧縮されて挿入され、常に広がる方向に力が働いているため、第１の筐体２と第２の筐体３が閉じた状態においては載置用脚部２１の他端２１ｂは奥に入った状態にある。圧縮コイルバネ２５は、ステンレス鋼線よりなるものとする。このことで、圧縮コイルバネ２５は、耐食性及び強度が高い軽量なものとなっている。
【００４５】
載置用脚部２１は、樹脂成形品であり、その色調は、第１の筐体２の色調と同一となっている。樹脂成形品であれば、複雑な形状も成形しやすく、軽量で彩色が容易であり、第１の筐体２と同一の樹脂成形品を使用することで、外観の差がなくなっている。さらに、第１の筐体２と第２の筐体３とを閉じた状態において、載置用脚部２１の他端２１ｂは第１の筐体２の表面とほぼ同一平面をなす構成となっている。
【００４６】
図９に示すように、上記第２の筐体３のヒンジ部７側には、押下部材としてのストッパー２２が設けられている。このストッパー２２は、第１の筐体２と第２の筐体３とが所定の角度（例えば１５０°）よりも開かないように規制し、その開いた状態を保つ役割も果たしている。
【００４７】
上記第１の筐体２と第２の筐体３とを開くことにより、上記ストッパー２２によって載置用脚部２１の一端２１ａが押し下げられ、他端２１ｂが第１の筐体２の表面よりも外側に突出して載置面２０に接触し、第１の筐体２と第２の筐体３とを閉じることにより、載置用脚部２１が圧縮コイルバネ２５に付勢されて元の位置に戻るように構成されている。このように、ストッパー２２と載置用脚部２１の押下部材とを兼用できるので、部品点数が減っている。また、このような簡単な構成なため、確実に載置用脚部２１が付勢されると共に、組み立てが容易で、かつ壊れにくいものとなっている。
【００４８】
−作用−
次に、本実施形態にかかる載置用脚部２１の作用について説明する。
【００４９】
まず、図２及び図６に示す閉じた状態から、図７及び図８に示すように、第１の筐体２と第２の筐体とを開いていく。
【００５０】
そして、第１の筐体２と第２の筐体３とがある角度を超えると、ストッパー２２と載置用脚部２１の一端２１ａとが接触し始める。
【００５１】
さらに開くと、図９に示すように、ストッパー２２に押されて、載置用脚部２１が貫通孔２３内をスライド移動して、その他端２１ｂ側が第１の筐体２の表面から突出する。このように、載置用脚部２１の押下動作が、第１の筐体２と第２の筐体３とを開く動作に伴って行われるので、別に載置用脚部２１の操作を行う必要がない。また、ヒンジ部７の近傍に載置用脚部２１が設けられているので、その他端２１ｂの飛び出し量が小さくてすむ。第１の筐体２と第２の筐体３とを開いたときには、第１の筐体２が第２の筐体３よりも正面から見て奥側に配置される。
【００５２】
次いで図３に示すように、第１の筐体２と第２の筐体３とを開いた状態で載置すると、載置用脚部２１の他端２１ｂと第２の筐体３の稜３ｂのみが載置面２０に接触するので、第１の筐体２が傷つかない。
【００５３】
一方、携帯電話機１を閉じると、図６乃至図８に示すように、載置用脚部２１が圧縮されていた圧縮コイルバネ２５に押し戻されて、その他端２１ｂは元の位置に収まり、第１の筐体２の表面と載置用脚部２１の他端２１ｂとが面一になる。さらに、載置用脚部２１の色調は、第１の筐体２の色調と同一であるため、見映えがよい。
【００５４】
−実施形態の効果−
したがって、第１の筐体２と第２の筐体３とを開いたときに載置用脚部２１の一端２１ａを押し下げて、その他端２１ｂ側を第１の筐体２の表面から突出させ、反対に第１の筐体２と第２の筐体３とを閉じると、載置用脚部２１が圧縮コイルバネ２５に押し戻されて、その他端２１ｂが元の位置に収まるようにした。このため、開いた状態の携帯電話機１を載置したときに、第１の筐体２に傷が付くのを防止することができると共に、閉じた状態で第１の筐体２の外観と載置用脚部２１の他端２１ｂとを面一にして、外形が大きくなるのを防ぎながら見映えをよくすることができる。このため、外観上の突起がなく見映えのよい折畳み式携帯電話機１が得られる。
【００５５】
（その他の実施形態）
本発明は、上記実施形態について、以下のような構成としてもよい。
【００５６】
すなわち、上記実施形態では、折畳み式携帯端末は、携帯電話機１としたが、ＰＨＳ、ＰＤＡ、ＰＣ、モバイルツール、電子辞書、電卓、複写機等であってもよい。
【００５７】
上記実施形態では、表示パネル４は、液晶ディスプレイよりなるものとしたが、有機ＥＬディスプレイよりなるものとしてもよい。有機ＥＬディスプレイは、自発光を発するため消費電力が小さく、液晶ディスプレイに比べて視野角が広く、かつバックライトを必要としないため、薄型化が可能である。
【００５８】
上記実施形態では、第１の筐体２と第２の筐体３とは、左右方向に長いものとしたが、上下方向に長いものとしてもよい。
【００５９】
なお、以上の実施形態は、本質的に好ましい例示であって、本発明、その適用物や用途の範囲を制限することを意図するものではない。
【産業上の利用可能性】
【００６０】
以上説明したように、本発明は、携帯電話機、ＰＨＳ、ＰＤＡ、ＰＣ、モバイルツール、電子辞書、電卓、複写機などの折畳み式携帯端末について有用である。
【図面の簡単な説明】
【００６１】
【図１】本発明の実施形態にかかる折畳み式携帯電話機の開いた状態を示す斜視図である。
【図２】携帯電話機の閉じた状態を示す斜視図である。
【図３】開いた状態の携帯電話機を載置面に載置した様子を示す側面図である。
【図４】図１のIV−IV線断面図である。
【図５】図２のＶ−Ｖ線断面図である。
【図６】図４のVI部拡大断面図である。
【図７】携帯電話機を開く途中を示す図６相当図である。
【図８】携帯電話機をさらに開いた状態を示す図６相当図である。
【図９】携帯電話機を完全に開いた状態を示す図６相当図である。
【符号の説明】
【００６２】
１      携帯電話機（折畳み式携帯端末）
２      第１の筐体
２ａ    第１ヒンジ軸受部
３      第２の筐体
３ａ    第２ヒンジ軸受部
６      表示装置（表示部）
７      ヒンジ部
８      操作部
９      左側開閉軸
１０      右側開閉軸
２０      載置面
２１      載置用脚部
２１ａ    一端
２１ｂ    他端
２２      ストッパー（押下部材）
２３      貫通孔
２５      圧縮コイルバネ（弾性部材）
２６      押圧部
【図１】
2009017166.tif 000003
【図２】
2009017166.tif 000004
【図３】
2009017166.tif 000005
【図４】
2009017166.tif 000006
【図５】
2009017166.tif 000007
【図６】
2009017166.tif 000008
【図７】
2009017166.tif 000009
【図８】
2009017166.tif 000010
【図９】
2009017166.tif 000011